(57)【要約】【課題】フィールド設置後に計量パルスＬＥＤを有効利用することができるスマートメータ。【解決手段】スマートメータ１は、電力系統の電圧と電流とに基づいて電力量を演算する電力演算部１７と、電力演算部１７で演算された電力量に比例した計量パルスを出力する計量パルスＬＥＤ１２と、外部から計量パルス出力モードから計器情報出力モードに切り替えるための切替指令が入力されたとき、当該スマートメータ１の計器情報を計量パルスＬＥＤ１２から出力させるＣＰＵ１０とを備える。【選択図】図１
2019090667.tif 000002
【特許請求の範囲】
【請求項１】
電力系統の電圧と電流とに基づいて電力量を演算する電力演算部と、
前記電力演算部で演算された電力量に比例した計量パルスを出力する計量パルスＬＥＤと、
外部から計量パルス出力モードから計器情報出力モードに切り替えるための切替指令が入力されたとき、当該スマートメータの計器情報を前記計量パルスＬＥＤから出力させる制御部と、
を備えることを特徴とするスマートメータ。
【請求項２】
受信用フォトトランジスタを備え、前記受信用フォトトランジスタには外付けの送受信ユニットが接続され、前記受信用フォトトランジスタは、前記送受信ユニットから送られてくる前記切替指令を受信して前記制御部に出力することを特徴とする請求項１記載のスマートメータ。
【請求項３】
計器内部の状態を検出して前記計器情報として前記制御部に出力する検出スイッチを備えることを特徴とする請求項１又は請求項２記載のスマートメータ。
【発明の詳細な説明】
【技術分野】
【０００１】
本発明は、電力系統の電圧と電流とに基づき消費電力量を積算して表示するスマートメータに関する。
【背景技術】
【０００２】
従来の技術として、例えば、特許文献１に記載された配電検出器が知られている。配電検出器は、消費電力量を積算してデジタル表示する電子式電力量計の表示部に配設した赤外線発光素子（計量パルスＬＥＤ）から出力される計量パルス信号を受信するパルス検出部と、送信器により電気配線に注入された信号電流によって発生する磁束を検出する磁束検出部と、パルス検出部又は磁束検出部から出力される信号レベルを検出するレベル検出部と、レベル検出部の出力に基づくＬＥＤランプの作動により電力量計の計量パルス信号の発信状態をチェック可能としたものである。
【０００３】
この配電検出器によれば、電力量計（スマートメータ）の動作チェックを迅速に行うことができる。このように、スマートメータの計量パルスＬＥＤは、計量した電力量に比例した周期で点滅している。
【先行技術文献】
【特許文献】
【０００４】
【特許文献１】特開２００１−４２０１９号公報
【発明の概要】
【発明が解決しようとする課題】
【０００５】
しかしながら、スマートメータの製造出荷や検定検査で使用し、フィールド設置後には、計量パルスＬＥＤは特に使用されていない。このため、計量パルスＬＥＤが有効利用されていなかった。
【０００６】
本発明の課題は、フィールド設置後に計量パルスＬＥＤを有効利用することができるスマートメータを提供する。
【課題を解決するための手段】
【０００７】
上記課題を解決するために、本発明に係る請求項１のスマートメータは、電力系統の電圧と電流とに基づいて電力量を演算する電力演算部と、前記電力演算部で演算された電力量に比例した計量パルスを出力する計量パルスＬＥＤと、外部から計量パルス出力モードから計器情報出力モードに切り替えるための切替指令が入力されたとき、当該スマートメータの計器情報を前記計量パルスＬＥＤから出力させる制御部とを備えることを特徴とする。
【０００８】
請求項２のスマートメータにおいて、受信用フォトトランジスタを備え、前記受信用フォトトランジスタには外付けの送受信ユニットが接続され、前記受信用フォトトランジスタは、前記送受信ユニットから送られてくる前記切替指令を受信して前記制御部に出力することを特徴とする。
【０００９】
請求項３のスマートメータにおいて、計器内部の状態を検出して前記計器情報として前記制御部に出力する検出スイッチを備えることを特徴とする。
【発明の効果】
【００１０】
本発明によれば、制御部が、外部から計量パルス出力モードから計器情報出力モードに切り替えるための切替指令が入力されたとき、当該スマートメータの計器情報を計量パルスＬＥＤから出力させる。
【００１１】
従って、フィールド設置後に計量パルスＬＥＤ１２を有効利用することができる。また、計器の状態を確認することができる。
【図面の簡単な説明】
【００１２】
【図１】本発明の実施例１に係るスマートメータの外観図である。
【図２】本発明の実施例１に係るスマートメータの構成ブロック図である。
【図３】本発明の実施例１に係るスマートメータのモード切替処理を示すフローチャートである。
【発明を実施するための形態】
【００１３】
以下、本発明の実施の形態に係るスマートメータについて、図面を参照しながら詳細に説明する。
【実施例１】
【００１４】
図１に実施例１に係るスマートメータの外観図を示す。図２に実施例１に係るスマートメータの構成ブロック図を示す。
【００１５】
スマートメータ１は、電力系統の系統電圧と電流を検出し、検出された電圧と電流とに基づき電力を演算する。スマートメータ１の正面部には、図１に示すように、表示装置１１、計量パルスＬＥＤ１２、受信用フォトトランジスタ１３、検出スイッチ１４が設けられている。また、スマートメータ１には、外付けの送受信ユニット２１、通信装置２２が取り付けられている。
【００１６】
スマートメータ１は、図２に示すように、ＣＰＵ１０、表示装置１１、計量パルスＬＥＤ１２、受信用フォトトランジスタ１３、検出スイッチ１４、電圧検出部１５、電流検出部１６、電力演算部１７、開閉器１８、内部電池１９、外部記憶回路２０を備えている。
【００１７】
電圧検出部１５は、電力系統の系統電圧を検出し、検出された系統電圧を電力演算部１７に出力する。電流検出部１６は、電力系統から負荷に流れる電流を検出し、検出された電流を電力演算部１７に出力する。
【００１８】
電力演算部１７は、電圧検出部１５で検出された系統電圧と電流検出部１６で検出された電流とを乗算して負荷に供給される電力量を演算し、電力量をＣＰＵ１０に出力する。ＣＰＵ１０は、本発明の制御部に対応し、電力演算部１７で演算された電力量を表示装置１１に表示させる。ＣＰＵ１０は、電力演算部１７で演算された電力値を計量パルスＬＥＤ１２に出力する。
【００１９】
計量パルスＬＥＤ１２は、電力演算部１７で演算された電力量に比例した計量パルスを出力する。ＣＰＵ１０は、外部から計量パルス出力モードから計器情報出力モードに切り替えるための切替指令が入力されたとき、当該スマートメータの計器情報を計量パルスＬＥＤ１２から出力させる。
【００２０】
受信用フォトトランジスタ１３は、外部から計量パルス出力モードから計器情報出力モードに切り替えるための切替指令を入力するために設けられている。受信用フォトトランジスタ１３には、外付けの送受信ユニット２１が接続され、受信用フォトトランジスタ１３は、外付けの送受信ユニット２１から送られてくる前記切替指令を受信してＣＰＵ１０に出力する。
【００２１】
ＣＰＵ１０は、電力演算部１７で演算された電力量を通信装置２２に出力する。通信装置２２は、電力演算部１７で演算された電力量を外部に送信し、また、外部から情報を受信し、受信した情報をＣＰＵ１０に出力する。
【００２２】
開閉器１８は、電流検出部１６と負荷との間に設けられ、開閉することにより電力系統の電力の負荷への供給遮断を行う。内部電池１９は、ＣＰＵ１０に電源電圧を供給してＣＰＵ１０を起動させる。外部記憶回路２０は、メモリ等であり、外部からの切替指令や情報を記憶する。
【００２３】
検出スイッチ１４は、温度センサ、湿度センサ、容量センサ、電流センサ等からなり、計器内部の状態を検出して検出した内部情報を計器情報としてＣＰＵ１０に出力する。
【００２４】
計器情報としては、計器内部の温度、湿度、内部電池の容量、自己消費電流、通信装置との接続状態、通信機能接続状態、停電や復電のログ情報、リセット回数のログ情報、外部記憶回路の不良、開閉器の状態、各種計器設定内容などである。
【００２５】
次にこのように構成された実施例1のスマートメータの処理を図３に示すフローチャートを参照しながら詳細に説明する。
【００２６】
ＣＰＵ１０は、計器情報を出力するモードに切り替えるかどうかを判定する（ステップＳ１１）。
【００２７】
具体的には、受信用フォトトランジスタ１３が、外部から計量パルス出力モードから計器情報出力モードに切り替えるための切替指令を、外付けの送受信ユニット２１を介して入力する。
【００２８】
ＣＰＵ１０が、受信用フォトトランジスタ１３から切替指令を入力したとき、ＣＰＵ１０は、計量パルスを出力するモードから計器情報を出力するモードに切り替える（ステップＳ１１のＹｅｓ）。そして、計量パルスＬＥＤ１２から計器情報を出力する（ステップＳ１２）。
【００２９】
次に、ＣＰＵ１０は、計量パルスを出力するモードに切り替えるかどうかを判定する（ステップＳ１３）。具体的には、受信用フォトトランジスタ１３が、外部から計器情報出力モードから計量パルス出力モードに切り替えるための切替指令を、外付けの送受信ユニット２１を介して入力し、ＣＰＵ１０が、受信用フォトトランジスタ１３から切替指令を入力したとき、ＣＰＵ１０は、計器情報を出力するモードから計量パルスを出力するモードに切り替える（ステップＳ１３のＹｅｓ）。
【００３０】
このように実施例1のスマートメータによれば、ＣＰＵ１０が、外付けの送受信ユニット２１から受信用フォトトランジスタ１３を介して計量パルス出力モードから計器情報出力モードに切り替えるための切替指令が入力されたとき、スマートメータ１の計器情報を計量パルスＬＥＤ１２から出力させる。
【００３１】
従って、フィールド設置後に計量パルスＬＥＤ１２を有効利用することができる。また、計器の状態を確認することができる。
【００３２】
なお、実施例では、外部からの切替指令によりモードを切り替えたが、フィールド設置後に、顧客によりモードを設定するようにしても良い。
【符号の説明】
【００３３】
１  スマートメータ
１０  ＣＰＵ
１１  表示装置
１２  計量パルスＬＥＤ
１３  受信用フォトトランジスタ
１４  検出スイッチ
１５  電圧検出部
１６  電流検出部
１７  電力演算部
１８  開閉器
１９  内部電池
２０  外部記憶回路
２１  外付けの送受信ユニット
２２  通信装置
【図１】
2019090667.tif 000003
【図２】
2019090667.tif 000004
【図３】
2019090667.tif 000005